(57)【要約】【課題】カメラに組み込んだ状態でも固体撮像素子の調整値情報の取得を可能とする。【解決手段】撮影レンズ６を介して結像される被写体像を読み取って画像データを得、撮影操作に応じたタイミングで該画像データを記録するデジタルカメラにおいて、撮影レンズ６を介して結像される被写体像を読み取って画像データを得る固体撮像素子７と、該固体撮像素子７に取付けられ、該固体撮像素子７の性能を調整するための調整値情報が記憶され、読出しアクセスに応じて該調整値情報を出力する無線タグＴとを備える。【選択図】        図２
2004236052.tif 000002
【特許請求の範囲】
【請求項１】
撮影レンズを介して結像される被写体像を読み取って画像データを得、撮影操作に応じたタイミングで該画像データを記録するデジタルカメラにおいて、
前記撮影レンズを介して結像される被写体像を読み取って画像データを得る固体撮像素子と、
該固体撮像素子に取付けられ、該固体撮像素子の性能を調整するための調整値情報が記憶され、読出しアクセスに応じて該調整値情報を出力する無線タグとを備えたことを特徴とするデジタルカメラ。
【請求項２】
前記固体撮像素子を取り付けた取付板の、前記無線タグに対向する箇所に該無線タグに対して送受信を行う開口部が形成されていることを特徴とする請求項１又は２記載のデジタルカメラ。
【請求項３】
撮影光学系を経由して入射してきた被写体光を捉えて画像データを得る固体撮像素子と、撮影操作に応じて得られた画像データを記録する動作を行うプログラムが記憶されている記憶部とを備えたデジタルカメラの製造方法において、
前記固体撮像素子の性能を調整するための調整値情報を測定するステップと、
カメラ性能を調整する調整用コンピュータのデータベース格納部に前記調整値情報を登録するステップと、
読出しアクセスに応じて記憶された情報を出力する無線タグに前記固体撮像素子の識別情報を書き込み記憶させるステップと、
前記無線タグを前記固体撮像素子に貼り付けるステップと、
前記無線タグの識別情報を読み取るステップと、
読み取った前記識別情報に対応する調整値情報を前記データベース格納部から取得し、取得した調整値情報を前記記憶部に書き込むステップとを含むことを特徴とするデジタルカメラの製造方法。
【請求項４】
撮影光学系を経由して入射してきた被写体光を捉えて画像データを得る固体撮像素子と、撮影操作に応じて得られた画像データを記録する動作を行うプログラムが記憶されている記憶部を備えたデジタルカメラの製造方法において、
該固体撮像素子の性能を調整するための調整値情報を測定するステップと、
読出しアクセスに応じて記憶された情報を出力する無線タグに前記固体撮像素子の調整値情報を書き込み記憶させるステップと、
前記無線タグを前記固体撮像素子に貼り付けるステップと、
前記無線タグの調整値情報を読み取るステップと、
読み取った調整値情報を前記記憶部に書き込むステップとを含むことを特徴とするデジタルカメラの製造方法。
【発明の詳細な説明】
【０００１】
【発明の属する技術分野】
本発明は、撮影光学系を経由して入射してきた被写体光を捉えて画像データを得る固体撮像素子を備えたデジタルカメラおよびその製造方法に関する。
【０００２】
【従来の技術】
従来のデジタルカメラにおける固体撮像素子の組立て方法として、バイアス電圧値および傷補正画素が記録されたＲＯＭと固体撮像素子（ＣＣＤ）に付けられている識別番号コード（ＩＤ）とを対応させて固体撮像素子を実装することにより、固体撮像素子を誤りなく組立てを可能にした技術がある（例えば、特許文献１参照）。
【０００３】
また、ＣＣＤにバーコードをつけ、組立てラインでバーコード情報を読み取らせ、対応する調整情報をネットワーク上のサービスセンタから取り寄せてＣＣＤ個別の調整を行う方法がある（例えば、特許文献２参照）。
【０００４】
【特許文献１】
特開平５−１３７０３３号公報
【特許文献２】
特開平２００１−８６４１５号公報
【０００５】
【発明が解決しようとする課題】
しかしながら、上記従来技術はともにＣＣＤに付けられているＩＤを目視あるいはバーコードのような光学的手段により読み取るため、カメラの組立てラインでＣＣＤの性能調整を行う場合、ＣＣＤが見える工程でしかＣＣＤ個別の調整情報を取得することができず、カメラに組み込まれた後では調整情報が取得できないという問題がある。
【０００６】
本発明は、上記事情に鑑み、カメラに組み込んだ状態でも固体撮像素子の調整情報の取得が可能なデジタルカメラおよびその製造方法を提供することを目的とする。
【０００７】
【課題を解決するための手段】
上記目的を達成する本発明のデジタルカメラは、撮影レンズを介して結像される被写体像を読み取って画像データを得、撮影操作に応じたタイミングで該画像データを記録するデジタルカメラにおいて、
前記撮影レンズを介して結像される被写体像を読み取って画像データを得る固体撮像素子と、
該固体撮像素子に取付けられ、該固体撮像素子の性能を調整するための調整値情報が記憶され、読出しアクセスに応じて該調整値情報を出力する無線タグとを備えたことを特徴とする。
【０００８】
本発明のデジタルカメラでは、固体撮像素子の調整値情報が記憶され、読出しアクセスに応じて該識別情報を出力する無線タグを固体撮像素子に取付けているので、無線タグの調整値情報を無線で読み取ることにより、目視によることなく当該固体撮像素子の調整値情報を取得することができる。
【０００９】
前記固体撮像素子を取り付けた取付板の、前記無線タグに対向する箇所に該無線タグに対して送受信を行う開口部が形成されていることが好ましい。
【００１０】
上記目的を達成する本発明のデジタルカメラの製造方法は、撮影光学系を経由して入射してきた被写体光を捉えて画像データを得る固体撮像素子と、撮影操作に応じて得られた画像データを記録する動作を行うプログラムが記憶されている記憶部とを備えたデジタルカメラの製造方法において、
前記固体撮像素子の性能を調整するための調整値情報を測定するステップと、
カメラ性能を調整する調整用コンピュータのデータベース格納部に前記調整値情報を登録するステップと、
読出しアクセスに応じて記憶された情報を出力する無線タグに前記固体撮像素子の識別情報を書き込み記憶させるステップと、
前記無線タグを前記固体撮像素子に貼り付けるステップと、
前記無線タグの識別情報を読み取るステップと、
読み取った前記識別情報に対応する調整値情報を前記データベース格納部から取得し、取得した調整値情報を前記記憶部に書き込むステップとを含むことを特徴とする。
【００１１】
本発明のデジタルカメラの製造方法では、無線タグに固体撮像素子の識別情報を書き込んで固体撮像素子に貼り付け、無線タグの識別情報を読み取って読み取った識別情報に対応する調整値情報をデータベース格納部から取得するので、無線タグに記憶されている固体撮像素子の識別情報を無線で読み取ることができ、固体撮像素子をカメラに組み込んだあとでも個別の調整値情報の取得が可能となる。
【００１２】
上記目的を達成する本発明のデジタルカメラの製造方法は、撮影光学系を経由して入射してきた被写体光を捉えて画像データを得る固体撮像素子と、撮影操作に応じて得られた画像データを記録する動作を行うプログラムが記憶されている記憶部を備えたデジタルカメラの製造方法において、
該固体撮像素子の性能を調整するための調整値情報を測定するステップと、
読出しアクセスに応じて記憶された情報を出力する無線タグに前記固体撮像素子の調整値情報を書き込み記憶させるステップと、
前記無線タグを前記固体撮像素子に貼り付けるステップと、
前記無線タグの調整値情報を読み取るステップと、
読み取った調整値情報を前記記憶部に書き込むステップとを含むことを特徴とする。
【００１３】
本発明のデジタルカメラの製造方法では、無線タグに固体撮像素子の調整値情報を書き込んで固体撮像素子に貼り付け、無線タグに記憶されている固体撮像素子の調整値情報を読み取るので、無線タグの調整値情報を無線で読み取ることができ、固体撮像素子をカメラに組み込んだあとでも個別の調整値情報の取得が可能となると共に、無線タグに固体撮像素子の調整値情報を直接書き込んでいるので、調整値情報を無線タグから直接読み取ることができる。
【００１４】
【発明の実施の形態】
以下、本発明の実施形態について説明する。
【００１５】
図１は、本実施形態のデジタルカメラの正面図である。
【００１６】
同図において、本実施形態のデジタルカメラＡは、カメラボディ１と、このカメラボディ１の前面に設けられている撮影レンズユニット２と、シャッタ釦３と、ファインダ４とを備えている。
【００１７】
図２は、撮影レンズユニット２の断面図を示している。
【００１８】
撮影レンズユニット２は、カメラ本体１の固定された鏡筒５と、鏡筒５の前部に配置された撮影レンズ６と、鏡筒５の後部に配置された固体撮像素子（ＣＣＤ）７とを備えている。
【００１９】
撮影レンズ６はレンズ取付板８に取り付けられ、レンズ取付板８は鏡筒５の前部にねじ９により取り付けられている。レンズ取付板８と鏡筒５の後面との間にガイドロッド１０が取り付けられ、このガイドロッド１０にホルダ１１が摺動自在に支持されている。このホルダ１１の後部に取付板１２が取り付けられ、この取付板１２に固体撮像素子７が取り付けられている。固体撮像素子７は、素子本体７ａとその外周を覆うパッケージ７ｂとで構成されている。固体撮像素子７と取付板１２の後部に配置された基板１６とがリード１７で接続されている。
【００２０】
固体撮像素子７の前部にはローパス１８が設けられている。ホルダ１１は鏡筒５の上部に取り付けられたモータ１３により回転するスクリューねじ１４により前後に移動するようになっている。
【００２１】
固体撮像素子７の後面、すなわちパッケージ７ｂには無線タグＴが取り付けられている。取付板１２にはこの無線タグＴに対向する個所に開口部１５が形成され、この開口部１５を介して無線タグＴに対して送受信を行うようになっている。
【００２２】
図３は、無線タグＴの回路構成を示す。無線タグＴは、電子回路部２０と、この電子回路部２０に接続された情報記憶部２１および送受信部２２とで構成されている。情報記憶部２１に後述するような固体撮像素子７に関する情報が記憶され、外部に設置された無線送受信部３１（図４参照）からの読み出しアクセスに応じてその情報を送受信部２２から無線送受信部３１に向けて送信するようになっている。。
【００２３】
図４は、本発明のデジタルカメラの製造方法を実施するための、カメラと調整装置部分の構成図である。
【００２４】
同図に示すように、デジタルカメラＡは、カメラ本体１内に内蔵された信号処理部であるＣＰＵ２５と、固体撮像素子７とを備えている。固体撮像素子７には上記の無線タグＴが取り付けられている。ＣＰＵ２５から駆動部（モータ）１３に信号が送られ、駆動部１３を介して固体撮像素子７が前後に移動される。ＣＰＵ２５には画像データが記憶されたＲＯＭ等からなる第１記憶部２６と、処理を実行させるためのプログラムが記憶されたＥＦＰＲＯＭ等からなる第２記憶部２７とが接続されている。固体撮像素子７には表示メモリ２８が接続され、表示メモリ２８からＬＣＤの表示部２９に画像データが出力されるようになっている。
【００２５】
ＣＰＵ２５にはカメラ調整用のコンピュータ３０が接続され、このコンピュータ３０には無線タグＴと交信する無線送受信部３１および後述の調整値情報が記憶されたデータベース格納部３２が接続されている。
【００２６】
次に、固体撮像素子７の調整情報管理の手順を図５および図６のフローチャートにより説明する。
【００２７】
図５は、実施形態１に係わる調整情報管理方法を示す。同図（ａ）に示すように、先ず、従来と同様の方法で固体撮像素子７の調整値情報、例えば、傷情報、雑音情報、ＯＦＤ（Ｏｖｅｒ  Ｆｌｏｗ  Ｄｒａｉｎ）電圧情報，シェーディング情報等を測定により取得し（ステップＳ１）、この調整値情報をデータベース格納部３２に登録する（ステップＳ２）。次に、各固体撮像素子７には無線タグＴを貼り付けておき、この無線タグＴに個々の固体撮像素子７を識別する識別情報（例えばＩＤ等）を書き込み（ステップＳ３）、この無線タグＴを個々の固体撮像素子７に貼り付ける（ステップＳ４）。なお、予め固体撮像素子７に無線タグＴを貼り付けておき、この無線タグＴに識別情報を書き込むようにしてもよい。
【００２８】
上記のようにして識別情報が書き込まれた無線タグＴが貼り付けられている固体撮像素子７を組立てラインに配置し、撮影レンズユニット２に組み込む。図５（ｂ）に示すように、この組立てラインの所望の工程において、無線送受信部３１により無線タグＴの識別情報を読み取る（ステップＳ５）。この識別情報に対応する調整値情報をデータベース格納部３２から取得し（ステップＳ６）、取得した調整値情報を第２記憶部２７に書き込む（ステップＳ７）。
【００２９】
上記のようにして第２記憶部２７に書き込みされた調整値情報は撮影時の信号処理（例えば傷情報補間等）に利用される。
【００３０】
図６は、実施形態２の調整情報管理方法を示す。同図（ａ）に示すように、先ず、上記と同様の方法で固体撮像素子７の調整値情報を測定により取得し（ステップＳ１０）、この調整値情報を無線タグＴに書き込み（ステップＳ１１）、この無線タグＴを個々の固体撮像素子７に貼り付ける（ステップＳ１２）。なお、予め固体撮像素子７に無線タグＴを貼り付けておき、この無線タグＴに調整値情報を書き込むようにしてもよい。
【００３１】
上記のようにして調整値情報が書き込まれた無線タグＴが貼り付けられている固体撮像素子７を組立てラインに配置し、撮影レンズユニット２に組み込む。図６（ｂ）に示すように、この組立てラインの所望の工程において、無線送受信部３１により無線タグＴの調整値情報を読み取り（ステップＳ１３）、読み取った調整値情報を第２記憶部２７に書き込む（ステップＳ１４）。
【００３２】
この実施形態２では、無線タグＴから個々の固体撮像素子の調整値情報を直接読み取りすることができるので、図４に示したデータベース格納部３２が不要となる。
【００３３】
本実施形態のデジタルカメラでは、無線タグＴの調整値情報を目視や光学手段によることなく無線で読み取り固体撮像素子７の個々の調整値情報を取得することができるため、例えば、サービスステーション等で固体撮像素子７の交換を行う場合、固体撮像素子７の傷情報等の調整値を無線タグＴから読み取り、カメラの第２記憶部２７に簡単に設定することができる。
【００３４】
【発明の効果】
以上、説明したように、本発明のデジタルカメラによれば、無線タグの調整値情報を目視や光学手段によることなく無線で読み取り固体撮像素子の個々の調整値情報を取得することができると共に、サービスステーション等で固体撮像素子の交換を行った場合、固体撮像素子の傷情報等の調整値情報をカメラに簡単に設定することができる。
【００３５】
本発明のデジタルカメラの製造方法によれば、無線タグに記憶されている固体撮像素子の識別情報を無線で読み取ることができるので、識別情報と対応する固体撮像素子の調整情報を照らし合わせれば固体撮像素子をカメラに組み込んだあとでも所望の工程で固体撮像素子の個別の調整値情報の取得が可能となる。
【００３６】
本発明のデジタルカメラの製造方法によれば、無線タグに記憶されている固体撮像素子の調整情報を無線で読み取ることができるので、固体撮像素子をカメラに組み込んだあとでも固体撮像素子の個別の調整が可能となると共に、無線タグに固体撮像素子の調整値情報を直接書き込んでいるので、調整値情報を無線タグから直接読み取ることができる。
【図面の簡単な説明】
【図１】本実施形態のデジタルカメラの前面側から見た斜視図である。
【図２】撮影レンズユニットの断面図である。
【図３】無線タグの構成図である。
【図４】固体撮像素子の調整情報取得の回路図である。
【図５】実施形態１の調整情報取得のフローチャートである。
【図６】実施形態２の調整情報取得のフローチャートである。
【符号の説明】
１    カメラボディ
６    撮影レンズ
７    固体撮像素子
１２    取付板
１５    開口部
２７    記憶部
３０    調整用コンピュータ
３１    無線送受信部
３２    データベース格納部
Ｔ    無線タグ
【図１】
2004236052.tif 000003
【図２】
2004236052.tif 000004
【図３】
2004236052.tif 000005
【図４】
2004236052.tif 000006
【図５】
2004236052.tif 000007
【図６】
2004236052.tif 000008